(57)【要約】  車両用投影アセンブリが説明される。具体的には、投影モジュールを含むハウジング内の車両用投影アセンブリ、及び選択的反射型偏光素子が説明される。  特定の選択的反射型偏光素子が、このような車両用投影アセンブリにとって都合の良い構成を可能にすることができる。
2020511688.tif 000002
【特許請求の範囲】
【請求項１】
ハウジングキャビティを取り囲んでいる非透過性ハウジングと、
画像投射方向を有する、前記ハウジングキャビティ内に配置された投影モジュールと、
前記ハウジング内に配置された透過性出口開口と、
前記画像投射方向に沿って前記投影モジュールから間隔を置いて前記ハウジングキャビティ内に配置された選択的反射型偏光素子と、を備える車両用投影アセンブリであって、
前記選択的反射型偏光素子は、前記画像投射方向に沿って前記選択的反射型偏光素子に入射する少なくとも一部の光が前記出口開口を通過する光路に向け直されるように、位置合わせされており、
前記選択的反射型偏光素子は、１つの偏光状態の光を実質的に反射するが、別の直交する偏光の光は実質的に透過し、
前記選択的反射型偏光素子は、近赤外スペクトルの両偏光の光を実質的に透過する、車両用投影アセンブリ。
【請求項２】
前記ハウジングキャビティ内で、前記選択的反射型偏光素子よりも前記投影モジュールから遠くに配置され、前記選択的反射型偏光素子よりも前記出口開口から遠くに配置された光吸収素子を更に備え、
前記選択的反射型偏光素子を透過した光が、前記光吸収素子に入射する、請求項１に記載の車両用投影アセンブリ。
【請求項３】
前記光吸収素子が、前記ハウジングの一部である、請求項２に記載の車両用投影アセンブリ。
【請求項４】
前記選択的反射型偏光素子が、多層光学フィルムを含む、請求項１に記載の車両用投影アセンブリ。
【請求項５】
前記出口開口を通過する前記光路が、少なくとも２つの直交する部分を含む、請求項１に記載の車両用投影アセンブリ。
【請求項６】
リフレクタを更に備え、前記リフレクタは、前記出口開口を通過する前記光路がリフレクタからの反射を含むように配置されている、請求項１に記載の車両用投影アセンブリ。
【請求項７】
前記リフレクタが、非平面リフレクタである、請求項６に記載の車両用投影アセンブリ。
【請求項８】
前記リフレクタが、拡大リフレクタである、請求項７に記載の車両用投影アセンブリ。
【請求項９】
前記選択的反射型偏光素子が、光学的に平滑である、請求項１に記載の車両用投影アセンブリ。
【請求項１０】
前記選択的反射型偏光素子が、リターダを含む、請求項１に記載の車両用投影アセンブリ。
【請求項１１】
前記出口開口が、カバーレンズを含み、
前記カバーレンズが、フレネル反射以外に反射を有さない、請求項１に記載の車両用投影アセンブリ。
【請求項１２】
前記選択的反射型偏光素子が、ワイヤグリッド反射型偏光子を含む、請求項１に記載の車両用投影アセンブリ。
【請求項１３】
前記選択的反射型偏光素子が、コレステリック反射型偏光子を含む、請求項１に記載の車両用投影アセンブリ。
【請求項１４】
前記選択的反射型偏光素子が、コールドミラーを含む、請求項１に記載の車両用投影アセンブリ。
【請求項１５】
前記選択的反射型偏光素子が、多層反射型偏光子及び多層コールドミラーを含む、請求項１に記載の車両用投影アセンブリ。
【発明の詳細な説明】
【背景技術】
【０００１】
ドライバー又は同乗者に情報を提供するために、プロジェクタを車両内に配置又は内蔵することができる。ヘッドアップディスプレイは、前方を向いて頭部をまっすぐにした位置でドライバー又は同乗者に見える情報を表示するためにプロジェクタを使用することができる。車内に配置された投影システムは、太陽光照射及び温度変動を含む著しい極限環境の影響を受ける。
【発明の概要】
【０００２】
一態様では、本開示は車両用投影アセンブリに関する。車両用投影アセンブリは、ハウジングキャビティを取り囲んでいる非透過性ハウジングと、画像投射方向を有する、ハウジングキャビティ内に配置された投影モジュールと、ハウジング内に配置された透過性出口開口と、画像投射方向に沿って投影モジュールから間隔を置いてハウジングキャビティ内に配置された選択的反射型偏光素子とを含む。選択的反射型偏光素子は、画像投射方向に沿って選択的反射型偏光素子に入射する少なくとも一部の光が出口開口を通過する光路に向け直されるように、位置合わせされている。選択的反射型偏光素子は、１つの偏光状態の光を実質的に反射するが、別の直交する偏光の光は実質的に透過する。選択的反射型偏光素子は、近赤外スペクトルの両偏光の光を実質的に透過する。
【図面の簡単な説明】
【０００３】
【図１】車両用投影アセンブリの概略側面図である。
【図２】車両用投影アセンブリの概略上面図である。
【図３】２つの積層された試料の表面粗さを示すグラフである。
【図４】比較例１の透過率パーセントを示すグラフである。
【図５】比較例２の反射率パーセントを示すグラフである。
【図６】比較例３の透過率パーセントを示すグラフである。
【図７】例１の反射率パーセントを示すグラフである。
【図８】比較例及び例の性能比較である。
【発明を実施するための形態】
【０００４】
図１は、車両用投影アセンブリの概略側面図である。車両用投影アセンブリ１００は、ハウジング１０２、通過偏光１１２及び遮断偏光１１４の両方を放射する投影モジュール１１０、反射画像光１２２を反射する選択的反射型偏光素子１２０、出口開口１３０、太陽光１３２、及び光吸収素子１４０を含む。
【０００５】
車両用投影アセンブリ１００全体は、任意の好適なサイズ及び形状とすることができる。いくつかの実施形態では、車両用投影アセンブリ１００は、自動車のダッシュボード内に合うように設計される。車両用投影アセンブリは、投影アセンブリと車両の他の構成素子との効率的な一体化をもたらすように設計することができる。
【０００６】
具体的には、ハウジング１０２は、車両のダッシュボード内に設けられるように任意の好適な三次元形状及びサイズとすることができる。いくつかの実施形態では、車両用投影アセンブリが最小限の顕著な特徴を備えて含まれることを可能にすることが好ましい場合がある（出口開口だけがドライバー又は同乗者に見えるなど）。ハウジング１０２は、車両用投影アセンブリの設置並びにできれば取り外し及び修理を可能にするための隆起部、係止機構、又は他の機械的素子を含むことができる。
【０００７】
ハウジング１０２は、任意の好適な材料から形成されることができる。いくつかの実施形態では、ハウジング１０２は、ポリマー材料から形成される。例えば、ハウジング１０２は射出成形されることができる。いくつかの実施形態では、ハウジング１０２は不透明プラスチックである。いくつかの実施形態では、ハウジング１０２は暗色又は他の可視光吸収性材料である。ハウジング１０２は、環境安定性で選択されてもよく、例えば、ハウジング１０２は、車両ダッシュボードの上又は内部に存在する極端な環境条件に耐えるために、高ガラス転移温度を有することができる。ハウジング１０２は、全体的な車両重量及び効率の助けとなるように、炭素繊維材料、軽量プラスチック（例えば、グラスバブルズを含むプラスチック）、又は別の軽量材料であってもよく、又はそれらを含んでもよい。いくつかの実施形態では、特にハウジング１０２の一部又は全部が同乗者又はドライバーに見える場合、ハウジング１０２は、ハウジングの外観を隣接する表面に溶け込ませる又は調和させるための様式的又は審美的素子を含むことができる。例えば、ハウジング１０２は、本物の若しくは合成の木材、本物の若しくは合成の皮革、又は１つ以上の光沢若しくはつや消しコーティングを含み得る。いくつかの実施形態では、ハウジング１０２は、カモフラージュフィルム又は他の選択透過性フィルムを含み得る。
【０００８】
投影モジュール１１０は、画像光を投影することができる任意の好適な投影モジュールとすることができる。例えば、投影モジュール１１０は、１つ以上の光源及び液晶光ゲート素子を含むことができる。これらの実施形態では、液晶光ゲート素子は、従来のＬＣＤ投影として透過性、又はＬＣＯＳ（ｌｉｑｕｉｄ  ｃｒｙｓｔａｌ  ｏｎ  ｓｉｌｉｃｏｎ）投影システムとして反射性のいずれかであり得る。
【０００９】
いくつかの実施形態では、投影モジュール１１０は、有機発光ダイオード（ＯＬＥＤ）ディスプレイなどの直接描画光源であってもよく、又はそれを含んでもよい。他の種類の投影モジュール及び光源を必要に応じて使用してもよく、例えば、デジタルマイクロミラーデバイスを利用したプロジェクタ（ＤＬＰプロジェクタ）又は偏光ビームスプリッタを使用してもよい。
【００１０】
投影モジュールは、任意の好適な構成素子を含んでもよく、任意の好適な特性を有してもよい。例えば、投影モジュールは、用途に応じて異なるレベルの電力を消費し、特定のレベルの光強度を生成することができる。投影モジュールは、任意の好適なコントラスト比及び輝度を有することができる。投影モジュールは、任意の好適な波長若しくは波長の組み合わせ又は任意の白色点を生成することができるが、プロジェクタからの光の少なくとも一部は、可視スペクトル内であるべきである。この説明を目的として、可視スペクトルは、４００ｎｍ〜７２０ｎｍであると見なし得る。電力配線、出力レンズ光学素子、及びいくつかの実施形態における、冷却ファン又は流体循環ヒートシンクなどの構成素子は、図１の説明を容易にするために示されていない。
【００１１】
投影モジュールは画像投射方向を有し、それに沿って画像光が投影される。図１の図では、通過偏光１１２及び遮断偏光１１４の両方が、画像投射方向に沿って進む。いくつかの実施形態では、図示されたように、投影モジュールは２つの直交する偏光の光（又は、偏光されていない光、これは全体としては各直交偏光と実質的に等しい部分を含む偏光のランダムな混合を含むことになる）を生成する。いくつかの実施形態では、これらは直交する直線偏光状態である。いくつかの実施形態では、これらは左円偏光及び右円偏光である。いくつかの実施形態では、１つの偏光の光のみを、投影モジュールによって生成し得る。車両用投影アセンブリ全体を考察した後に明らかになるように、これらの実施形態では、光の少なくとも一部は遮断偏光であるべきであり、それは、それが出口開口１３０を実質的に通過する唯一の光であるからである。
【００１２】
図１の図では、通過偏光１１２及び遮断偏光１１４の両方が、選択的反射型偏光素子１２０に入射する。選択的反射型偏光素子１２０は、通過偏光１１２を実質的に透過しながら、遮断偏光１１４を実質的に反射する。更に、選択的反射型偏光素子１２０は、近赤外スペクトルの両偏光の光（例えば、８００ｎｍ〜１４００ｎｍ、又は更には８００ｎｍ〜２５００ｎｍの光）を実質的に透過する。この説明を目的として、近赤外スペクトルは、８００ｎｍ〜２５００ｎｍであると見なし得る。用途に応じて、実質的に反射したり実質的に透過したりすることによって、関連光の少なくとも５０％がこうした効果を経験することを意味し得る。いくつかの実施形態では、関連光の少なくとも７０％がこうした効果を経験する。いくつかの実施形態では、関連光の少なくとも９０％がこうした効果を経験する。いくつかの実施形態では、関連光の少なくとも９５％又は９９％がこうした効果を経験する。測定は、ｓ偏光及びｐ偏光の両方を平均して、４５度の入射角で行われるべきである。いくつかの実施形態では、反射型偏光子は、通過状態の光がｐ偏光であり、遮断状態の光がｓ偏光となるように配置され、これにより、可視波長及び近赤外波長について通過状態の光の透過を最大化し得る。
【００１３】
選択的反射型偏光素子１２０は、所望の光学性能を提供する任意の好適な材料とすることができる。例えば、選択的反射型偏光素子は、ワイヤグリッド偏光子又はコレステリック反射型偏光子であってもよいし、又はこれらを含んでもよい。いくつかの実施形態では、選択的反射型偏光素子１２０は、多層光学フィルム又は、より具体的には、多層反射型偏光子を含み得る。いくつかの実施形態では、選択的反射型偏光素子１２０は、多層反射型偏光子及びミラーを含み得る。いくつかの実施形態では、ミラーは、コールドミラー（可視光を反射するが赤外光を透過する）であってもよい。いくつかの実施形態では、コールドミラーは、多層光学コールドミラーであってもよい。いくつかの実施形態では、これらの部分は、光学的に透明な接着剤又は他の好適な接着方法又はプロセスによって一緒に積層されてもよい。
【００１４】
多層光学フィルム、すなわち、屈折率の異なるミクロ層の配置によって、少なくとも部分的に望ましい透過特性及び／又は反射特性をもたらすフィルムが知られている。真空槽の中で一連の無機質材料を光学的に薄い層（「ミクロ層」）として基材に堆積させることによって、このような多層光学フィルムを作ることが知られている。無機多層光学フィルムは、例えば、Ｈ．Ａ．Ｍａｃｌｅｏｄによる教科書、Ｔｈｉｎ−Ｆｉｌｍ  Ｏｐｔｉｃａｌ  Ｆｉｌｔｅｒｓ，２ｎｄ  Ｅｄ．，Ｍａｃｍｉｌｌａｎ  Ｐｕｂｌｉｓｈｉｎｇ  Ｃｏ．（１９８６）、及びＡ．Ｔｈｅｌａｎによる教科書、Ｄｅｓｉｇｎ  ｏｆ  Ｏｐｔｉｃａｌ  Ｉｎｔｅｒｆｅｒｅｎｃｅ  Ｆｉｌｔｅｒｓ，ＭｃＧｒａｗ−Ｈｉｌｌ，Ｉｎｃ．（１９８９）に記述されている。
【００１５】
多層光学フィルムは、交互ポリマー層を共押し出しすることによっても実証された。例えば、米国特許第３，６１０，７２９号（Ｒｏｇｅｒｓ）、同第４，４４６，３０５号（Ｒｏｇｅｒｓら）、同第４，５４０，６２３号（Ｉｍら）、同第５，４４８，４０４号（Ｓｃｈｒｅｎｋら）、及び同第５，８８２，７７４号（Ｊｏｎｚａら）を参照のこと。これらのポリマー多層光学フィルムでは、個々の層の構成においてポリマー材料が主に又は排他的に使用される。そのようなフィルムは、大量生産工程と適合し、大きなシート及びロール品で作製することができる。
【００１６】
多層光学フィルムは、一部の光が隣接ミクロ層の間の境界面で反射するように、異なる屈折率特性を有する、個別のミクロ層を含む。ミクロ層は、複数の境界面で反射された光が、建設的又は破壊的干渉を受けて多層光学フィルムに所望の反射又は透過特性を提供できるほど薄い。紫外線、可視、又は近赤外線波長光を反射するように設計された多層光学フィルムでは、各ミクロ層は通常、光学的厚さ（物理的厚さ×屈折率）が約１μｍ未満である。多層光学フィルムの外表面の表面層や、ミクロ層の所定のまとまり（以下「パケット」と称する）同士を分離するよう、多層光学フィルム内に配置される保護境界層（protective boundary layers）（ＰＢＬ）のような、より厚い層が含まれていてもよい。
【００１７】
偏光用途、例えば、反射型偏光子の場合には、光学層の少なくとも一部は、複屈折性ポリマーを用いて形成され、ポリマーの屈折率はポリマーの直交座標系の軸に沿って異なる値を有する。一般に、複屈折性ポリマーのミクロ層は、層面（ｚ軸）の法線により規定され、ｘ軸とｙ軸が層面内に存在する、直交カルテシアン軸を有する。複屈折性の高分子は、非偏光用途においても使用することができる。
【００１８】
ある場合には、ミクロ層は、１／４波長積層体に相当する厚さ及び屈折率値を有し、すなわち、それぞれが等しい光学的な厚さ（ｆ比＝５０％）の２種の隣接ミクロ層を有する、光学繰り返し単位又は単位セルで配列され、このような光学繰り返し単位は、波長λが光学繰り返し単位の全光学的な厚さの２倍である、強め合い干渉光による反射に有効である。ｆ比が５０％と異なる、２種のミクロ層光学繰り返し単位を有する多層光学フィルム、又は光学繰り返し単位が２種以上のミクロ層を含むフィルムなどの他の層構成も知られている。これらの光学的繰り返し単位の設計は、特定の高次反射を減少又は増加させるように構成することができる。例えば、米国特許第５，３６０，６５９号（Ａｒｅｎｄｓら）及び同第５，１０３，３３７号（Ｓｃｈｒｅｎｋら）を参照のこと。フィルムの厚さ軸（例えば、ｚ軸）に沿った厚さ勾配を使用して、拡張された反射帯、例えば、反射帯が斜めの入射角で短波長にシフトする際に、可視スペクトル全体にわたって反射し続けるように、ミクロ層積層体が人間の可視領域全体にわたる、及び近赤外の中に拡張された反射帯を提供することができる。バンド端を鋭くするように調整された厚さ勾配、すなわち高反射と高透過の間の波長転移は、米国特許第６，１５７，４９０号（Ｗｈｅａｔｌｅｙら）に記述されている。
【００１９】
多層光学フィルムと、関連する設計及び構造の更なる詳細は、米国特許第５，８８２，７７４号（Ｊｏｎｚａら）及び同第６，５３１，２３０号（Ｗｅｂｅｒら）、ＰＣＴ公開国際公開第９５／１７３０３（Ｏｕｄｅｒｋｉｒｋら）及び同第９９／３９２２４（（Ｏｕｄｅｒｋｉｒｋら）、並びに表題「Ｇｉａｎｔ  Ｂｉｒｅｆｒｉｎｇｅｎｔ  Ｏｐｔｉｃｓ  ｉｎ  Ｍｕｌｔｉｌａｙｅｒ  Ｐｏｌｙｍｅｒ  Ｍｉｒｒｏｒｓ」、Ｓｃｉｅｎｃｅ，Ｖｏｌ．２８７，Ｍａｒｃｈ  ２０００（Ｗｅｂｅｒら）という刊行物に記述されている。多層光学フィルムと関連する物品は、光学的特性、機械的特性、及び／又は化学的特性により選択される、追加の層及びコーティングを含むことがある。ＵＶ硬化型アクリレート接着剤又は他の好適な材料を用いて、多層光学フィルムを、機械的に補強された層に貼り付けることができる。このような補強層は、ＰＥＴ又はポリカーボネート等のポリマーを含むことがあり、例えばビーズ又はプリズムを使用することによって光拡散又はコリメーション等の光学的機能を提供する構造化表面も含むことがある。追加の層及びコーティングは、ハードコート、引き裂き抵抗性層、及び硬化剤も含むことができる。例えば、米国特許第６，３６８，６９９号（Ｇｉｌｂｅｒｔらによる）を参照されたい。多層光学フィルムを作るための方法及び装置は、米国特許第６，７８３，３４９号（Ｎｅａｖｉｎらによる）に記述されている。
【００２０】
多層光学フィルムの反射特性及び透過特性は、それぞれのミクロ層の屈折率と、ミクロ層の厚さ及び厚さ分布の関数である。各ミクロ層は、少なくともフィルムの局所的位置で、面内屈折率ｎｘ、ｎｙと、フィルムの厚さ方向軸に関連する屈折率ｎｚとによって特徴付けることができる。これらの屈折率は、互いに直交するｘ軸、ｙ軸、及びｚ軸に沿って偏光される光に対する対象材料の屈折率を、それぞれ表す。本特許出願での説明を容易にするため、別段の指定がない限り、ｘ軸、ｙ軸、及びｚ軸は、多層光学フィルム上のいかなる対象点にも適用可能なローカルな直交座標系の軸であり、ミクロ層はｘ−ｙ面に平行に延び、ｘ軸は、Δｎｘの大きさを最大とするようにフィルムの面内に配向されているものとする。したがって、Δｎｙの大きさは、Δｎｘの大きさ以下であって、それより大きくないものとすることができる。更に、差Δｎｘ、Δｎｙ、Δｎｚを計算する際にどの材料層から始めるかの選択は、Δｎｘが負でないことを必要とすることによって決定される。換言すれば、境界面を形成する２つの層の間の屈折率の差は、Δｎｊ＝ｎ１ｊ−ｎ２ｊであり、ここでｊ＝ｘ、ｙ、又はｚであり、層の指定１、２は、ｎ１ｘ≧ｎ２ｘ、すなわち、Δｎｘ≧０となるように選択される。
【００２１】
実際には、屈折率は、適切な材料選択及び加工条件によって制御される。多層フィルムは、多数の、例えば数十又は数百層の２種の交互に配列したポリマーＡ、Ｂを共押出しし、通常続いて、多層押出し物を１つ以上のマルチプライヤダイに通し、次に押出し物を延伸するか、又は別法で配向させて、最終フィルムを形成することにより作製される。得られるフィルムは、通常、可視又は近赤外等のスペクトルの所望の領域において、１つ以上の反射帯をもたらすように厚さと屈折率が調整されている、数百の個別のミクロ層から構成される。妥当な層数によって高反射率を得るために、隣接したミクロ層は、通常、ｘ軸に沿って偏光した光に対して少なくとも０．０５の屈折率差（Δｎｘ）を呈する。いくつかの実施形態において、ｘ軸に沿って偏光した光に対する屈折率差が、配向後に可能な限り高くなるように、材料を選択する。２つの直交する偏光に対して高反射率が所望される場合には、隣接したミクロ層は、ｙ軸に沿って偏光した光に対して少なくとも０．０５の屈折率差（Δｎｙ）を呈するようにすることもできる。
【００２２】
上記で参照した‘７７４号（Ｊｏｎｚａらによる）特許は、なかんずく、ｚ軸に沿って偏光した光に対する隣接したミクロ層間の屈折率差（Δｎｚ）を調整して、斜めに入射する光のｐ偏光部分に対して所望の反射率特性を得る方法を述べている。斜め入射角におけるｐ偏光の高い反射率を維持するために、ミクロ層間のｚ屈折率の不整合Δｎｚは、最も大きい面内屈折率の差Δｎｘより実質的に小さくなるように制御して、Δｎｚ≦０．５×Δｎｘ又はΔｎｚ≦０．２５×Δｎｘとすることができる。ゼロ又は実質的にゼロに近い大きさのｚ−屈折率の不整合によって、ミクロ層の間の境界面に対して、入射角の関数としてのｐ偏光に対する反射率を一定又は実質的に一定とすることができる。更に、ｚ屈折率の不整合Δｎｚは、面内屈折率の差Δｎｘと比較して反対の極性を有するように、すなわち、Δｎｚ＜０となるように、制御することができる。この条件は、ｓ偏光の場合と同様に、ｐ偏光に対する反射率が、入射角の増加と共に増加する境界面をもたらす。
【００２３】
選択的反射型偏光素子１２０はまた、位相差層を含むことができる。位相差層は、１／２波長位相差層、１／４波長位相差層、１／８波長位相差層、又は可視スペクトルの少なくとも一部について他の任意の位相差を有する位相差層とすることができる。いくつかの実施形態において、選択的反射型偏光素子１２０は、紫外線吸収剤を含むことができる。これらの紫外線吸収剤は、ミクロ層全体に分布してもよく、特定のミクロ層のみに存在してもよく、又は特定の非光学的なスキン層又は保護境界層にのみ存在してもよい。いくつかの実施形態では、選択的反射型偏光素子１２０は、ヒンダードアミン光安定剤を含む。いくつかの実施形態では、選択的反射型偏光素子１２０は、少なくとも部分的に湾曲している。
【００２４】
いくつかの実施形態では、選択的反射型偏光素子１２０が光学的に平滑であることが重要となり得る。特に、選択的反射型偏光素子は少なくとも一部の画像光を反射しているので、選択的反射型偏光素子の表面粗さが、画像品質を歪めたり劣化させたりするほど大きすぎないことが重要である。可視波長に基づいて、いくつかの実施形態では、選択的反射型偏光素子の平均表面粗さ（二乗平均平方根）は、２００ｎｍ未満である。いくつかの実施形態では、１００ｎｍ未満である。いくつかの実施形態では、５０ｎｍ未満、又は更には２５ｎｍ未満である。具体的には、０．６７ｍｍ×０．５０ｍｍの面走査に対して、２５０ｎｍ超のピークバレー（peak-to-valley）（ＰＶ）範囲、又は５０ｎｍ超の二乗平均平方根（ＲＭＳ）値、又は４０ｎｍ超のＲａ粗さを有する積層物品の平滑度値は、視覚的外観上好ましくないことがわかった。したがって、いくつかの実施形態では、積層物品の平滑度は、許容可能な視覚的品質のために、２５０ｎｍよりも良好な（低い）ＰＶ、及び５０ｎｍ未満のＲＭＳ、及び４０ｎｍ未満のＲａの平滑度を有さなければならない。他の実施形態では、積層物品の平滑度は、許容可能な視覚的品質のために、２００ｎｍよりも良好なＰＶ、及び３５ｎｍ未満のＲＭＳ、及び３０ｎｍ未満のＲａの平滑度を有さなければならない。平滑度は、例えば、積層接着剤、圧力、ローラー種類、及び他のプロセス、取り扱い、及び材料の考慮事項の慎重な選択によって管理することができる。
【００２５】
いくつかの実施形態では、同様の理由により（すなわち、反射画像の忠実度を保つために）、選択的反射型偏光素子が低ヘイズを有することが望ましい場合がある。いくつかの実施形態では、許容可能な低ヘイズは、（例えば、ＢＹＫ−Ｇａｒｄｎｅｒ（Ｗｅｓｅｌ，Ｇｅｒｍａｎｙ）から入手可能なＨＡＺＥ−ＧＡＲＤ  ＰＬＵＳ透過率計で測定される）１０％未満のヘイズであり得る。一部の実施形態では、低ヘイズは、５％未満のヘイズ、２％未満のヘイズ、又は更には１％未満のヘイズを意味し得る。いくつかの実施形態では、反射光に対するヘイズが最も重要であるため、関連ヘイズ値は、プロジェクタモジュールに面するフィルムの側にのみ存在し得ることに留意されたい。
【００２６】
通過偏光１１２については、選択的反射型偏光素子１２０を実質的に透過し、次に光吸収素子１４０に入射する。光吸収素子１４０は、ハウジング１０２の一部であってもよく、又はハウジング１０２に接続されていてもよい。実際に、光吸収素子は、ハウジング１０２と同時に、又はハウジング１０２と同じ材料で形成されてもよい。いくつかの実施形態では、光吸収素子１４０は、光吸収性材料である。光吸収素子１４０は、少なくとも近赤外スペクトルの光を吸収するべきである。いくつかの実施形態では、光吸収素子１４０は、１つ以上のヒートシンク又は熱拡散層を含む。いくつかの実施形態では、光吸収素子１４０は反射防止層を含む。
【００２７】
遮断偏光１１４については、出口開口１３０を通過する光路に実質的に反射される。これは、選択的反射型偏光素子１２０から出口開口１３０を通過して進む反射画像光１２２によって表される。なお、この図では、選択的反射型偏光素子１２０が、投影モジュールから出口開口までの光路の２つの部分が実質的に直交するように、画像投射方向に対して約４５度の角度で配置されていることに留意されたい。他の設計及び幾何学的形状が利用可能であり、またそれらは、車両用投影アセンブリ１００の設計、全体形状、及びサイズに応じて当業者に明らかとなるであろう。いくつかの実施形態では、反射画像光１２２は、選択的反射型偏光素子１２０によって反射された後に１つ以上の光学素子を通過してもよい。例えば、フィルム若しくは他の基材（ポリマー、ガラスなど）内に配置された紫外線吸収素子、又は１／２若しくは１／４波長リターダ又は他の任意の位相差を有するリターダなどのリターダを、選択的反射型偏光素子からの光路及び出口開口に配置してもよい。これらの任意選択の構成及び素子は、説明を簡単にするために図１には示されていない。
【００２８】
出口開口１３０は、ハウジング１０２内に配設され、任意の好適な実質的に透明な開口部であってもよい。出口開口１３０は、単なる空隙である代わりに透明材料から形成され、車両用投影アセンブリ内への塵埃の進入及び蓄積を防止することができる。いくつかの実施形態では、出口開口１３０は、９０％超、９５％超、又は更には９９％超の透過率を有する。いくつかの実施形態では、出口開口１３０は、屈折率媒体の変化によるフレネル反射以外には反射を持たない。いくつかの実施形態では、出口開口１３０は、ポリカーボネートレンズである。いくつかの実施形態では、出口開口１３０は、アクリルレンズである。いくつかの実施形態では、出口開口１３０は、環状オレフィンレンズである。
【００２９】
車両用投影アセンブリは、典型的には、屋外走行のための車両内に配設されるので、必然的に少なくともある環境条件にある出口開口１３０は、いくらかの太陽光１３２を通過させる。太陽光１３２は、全体的な太陽スペクトルの一部であるが、敏感な光学構成素子及び電子部品に特に損傷を与えることがある。具体的には、この光の照射は、構成素子をそれらの故障点を超えて加熱し、劣化させ、損傷させ、又は車両用投影アセンブリの機能性を破壊することさえある。しかしながら、本明細書に記載されている車両用投影アセンブリでは、太陽光１３２は、選択的反射型偏光素子１２０に入射し、その全ての偏光が実質的に透過されている。次に、太陽光１３２は、光吸収素子１４０に入射し、吸収される。したがって、ごくわずかな太陽光１３２が投影モジュールに入射する。これにより、投影モジュールをより低温に保つことによって、車両用投影アセンブリ内の熱管理を大幅に改善することができる。いくつかの実施形態では、選択的反射型偏光素子１２０によって透過された太陽光１３２は、周囲条件を検出又は管理するために、また、投影モジュールに対して又は雰囲気制御などの無関係な車両用システムに対して、例えば、輝度又はコントラスト修正の形態のフィードバックを提供するために、センサに入射する。
【００３０】
この構成の別の利点は、出口開口において反射フィルムが必要とされないことである。車両用プロジェクタアセンブリの熱管理のための典型的な解決策は、出口開口レンズ上に反射フィルム又は反射型偏光子フィルムを設けることである。光学的粗さ又は欠陥をもたらすことなく光学フィルムを積層すること又は反射コーティングを設けることは困難であるので、画質は部分透過性フィルムを通過することによって低下する。更に、反射フィルム又は反射型偏光子フィルムは部分的に反射性であるため、環境からの光は出口開口レンズで反射され、車両のフロントガラス上に反射光を散らす「ベイリンググレア」をもたらし得る。本明細書に記載される構成は、出口開口が実質的に非反射性であることを可能にするので、環境光をフロントガラス上に反射しそうな又は実際に反射する光路がほとんど存在しない。
【００３１】
図２は、車両用投影アセンブリの概略上面図である。車両用投影アセンブリ２００は、ハウジング２０２、通過偏光２１２及び遮断偏光２１４の両方を放射する投影モジュール２１０、反射画像光２２２を反射する選択的反射型偏光素子２２０、太陽光２３２、光吸収素子２４０、及びフリーフォームミラー２５０を含む。
【００３２】
図２は、図１と同様であるが、図２は、フリーフォームミラー２５０を更に含む。反射画像光２２２を拡大するために、フリーフォームミラー２５０を車両用投影アセンブリ２００内で使用することができる。したがって、フリーフォームミラー２５０は、凸状、湾曲状、あるいは非平面状であり得る。フリーフォームミラーは、多層光学リフレクタ、蒸気被覆ポリマー若しくはガラスミラー、及び研磨された金属面を含む、任意の適切な反射表面であるか、又はそれを含むことができる。いくつかの実施形態では、フリーフォームミラー２５０は、紫外線吸収剤、ヒンダードアミン光安定剤、又はリターダなどの光学素子を含んでもよい。図２では、遮断偏光２１４が向け直される光路は２つのセグメントを含み、最初のセグメントはフリーフォームミラー２５０に入射し、次のセグメントは出口開口を通過し、出口開口は、図２の構成においてページ外方向においてフリーフォームミラーの真「上」にあると見なすことができる。繰り返しになるが、具体的な幾何学形状は、用途及び設計上の考慮事項に基づいて選択及び構成されることができ、これは、光学的性能又は機能性が著しく異なることなく可能であるはずである。
【００３３】
図中の素子の説明は、別段の指示がない限り、他の図中の対応する素子に等しく適用されるものと理解されたい。上述の実施形態は、本発明の様々な態様の説明を容易にするために詳細に記載されたものであるため、本発明は、上述の特定の実施例及び実施形態に限定されるものと見なされるべきではない。むしろ、本発明は、添付の特許請求の範囲及びそれらの同等物によって定義される本発明の範囲内に含まれる様々な変形形態、同等のプロセス、及び代替的デバイスを含めた、本発明の全ての態様を包含するものと理解されるべきである。
【実施例】
【００３４】
市販材料：
（１）ワイヤグリッド偏光子、Ｎｉｐｐｏｎ  Ｓｅｉｋｉ  Ｈｅａｄ  Ｕｐ  Ｄｉｓｐｌａｙ（ＨＵＤ）（Ｎｉｐｐｏｎ  Ｓｅｉｋｉ  Ｃｏ．，Ｌｔｄ．（Ｎａｇａｏｋａ，Ｊａｐａｎ）から入手可能）から抽出した市販例。この素子は、表示エンジン又は画像生成ユニット（ＰＧＵ）からの光を透過する。
（２）コールドミラー、Ｎｉｐｐｏｎ  Ｓｅｉｋｉ  ＨＵＤ（Ｎｉｐｐｏｎ  Ｓｅｉｋｉ  Ｃｏ．，Ｌｔｄ．（Ｎａｇａｏｋａ，Ｊａｐａｎ）から入手可能）から抽出した市販例。この素子は、表示エンジン（ＰＧＵ）からの光を反射する。
（３）３Ｍ  ＤＢＥＦ−Ｑｖ２−ＰＣ、３Ｍ  Ｃｏｍｐａｎｙ（Ｓｔ．Ｐａｕｌ，ＭＮ）から入手可能。ＤＢＥＦ−Ｑｖ２は、反射型偏光子多層フィルムである。ＨＵＤ用途では、ＤＢＥＦ−ＱＶ２は、ポリカーボネート（ＰＣ）ダストカバーに積層され、出口開口の一部として利用され、ハーフミラーとして機能することができる。すなわち、（１）ＬＣＤ−ＰＧＵからの偏光を透過させ、（２）ランダムに偏光された光の一部を反射する。これをＤＢＥＦ−ＰＣと呼ぶ。
（４）３Ｍ  ＡＰＦ  Ｔ５０、３Ｍ  Ｃｏｍｐａｎｙ（Ｓｔ．Ｐａｕｌ，ＭＮ）から入手可能な色中性反射型偏光フィルム。
【００３５】
積層平滑度試験方法及び結果:
積層物品の平滑度は、Ｚｙｇｏ  Ｃｏｒｐｏｒａｔｉｏｎ（Ｂｅｒｗｙｎ，ＰＡ）から入手可能な市販の干渉計システムを用いて、５倍対物レンズを使用して、ガラス／フィルム積層のフィルム側から測定することで最も良く特徴が分かった。表面を０．６７ｍｍ×０．５０ｍｍの面積のパッチで走査することにより、この装置は、ピークバレー（ＰＶ）、二乗平均平方根（ＲＭＳ）及びＲａなどの標準的な表面粗さ特性を考慮する。これらの測定が、図３に示される視覚的に良い外観及び視覚的に悪い外観及び統計を有する試料に対して実施された。＃１とラベルした試料は、積層後に視覚的に良好な品質であったが、＃２とラベルした試料は視覚的に許容できなかったものである。
【００３６】
例の比較:
理想的な熱管理システムは、ＰＧＵから見る人までの光の効率を最大化する一方で、日射がＰＧＵを劣化させる影響を最小限に抑える。
【００３７】
ＨＵＤ用途における熱管理について、いくつかの例を評価した。
比較例１：Ｎｉｐｐｏｎ  Ｓｅｉｋｉ製ワイヤグリッド偏光子（ＰＧＵ光を透過）。この例についての遮断状態の光の透過スペクトルを図４に示す。
比較例２：Ｎｉｐｐｏｎ  Ｓｅｉｋｉ製コールドミラー（ＰＧＵ光を反射）。この例についての反射スペクトルを図５に示す。
比較例３：３Ｍ  ＤＢＥＦ−ＰＣ（ＰＧＵ光を透過）。この例についての透過スペクトルを図６に示す。
【００３８】
例１：ＡＰＦ  Ｔ５０（ＰＧＵ光を反射）。この例についての反射スペクトルを図７に示す。
ＨＵＤ太陽熱利得に対する効果を評価するために、ＰＧＵ上の日射透過率をＡＳＴＭ  Ｅ９０３−１２に基づいて計算した。特定の比較例及びこれらの組み合わせを含むいくつかの構成を評価した。
（１）ワイヤグリッド偏光子
（２）ＰＣカバーレンズに適用された吸収偏光子
（３）ＤＢＥＦ−ＰＣ
（４）コールドミラー
（５）ワイヤグリッド偏光子＋コールドミラー
（６）吸収偏光子＋コールドミラー
（７）ＤＢＥＦ  ＰＣ＋コールドミラー
（８）ＡＰＦコールドミラー例
【００３９】
各構成について、太陽熱利得に比例するであろう日射透過率を以下に要約する。
【００４０】
【表１】
2020511688.tif 000003
【００４１】
日射透過率に加えて、ＰＧＵからの偏光の透過率を求めた。最適化された例は、低日射透過率を有し、ＰＧＵから高率の偏光可視光を中継することになる。
【００４２】
【表２】
2020511688.tif 000004
【００４３】
図８に示す最終的なチャートは、例及び比較例の性能を要約したものである。このチャートは、ＰＧＵへの日射透過率と本システム外へのＰＧＵ光の透過率とを、ワイヤグリッド偏光子（ＣＥ−１）、コールドミラー（ＣＥ−２）、ＤＢＥＦ−ＰＣ（ＣＥ−３）、及びＡＰＦコールドミラー（例１）について比較している。
【００４４】
以下は本開示による例示的な実施形態である。
項目１．ハウジングキャビティを取り囲んでいる非透過性ハウジングと、
画像投射方向を有する、ハウジングキャビティ内に配置された投影モジュールと、
ハウジング内に配置された透過性出口開口と、
画像投射方向に沿って投影モジュールから間隔を置いてハウジングキャビティ内に配置された選択的反射型偏光素子と、を備える車両用投影アセンブリであって、
選択的反射型偏光素子は、画像投射方向に沿って選択的反射型偏光素子に入射する少なくとも一部の光が出口開口を通過する光路に向け直されるように、位置合わせされており、
選択的反射型偏光素子は、１つの偏光状態の光を実質的に反射するが、別の直交する偏光の光は実質的に透過し、
選択的反射型偏光素子は、近赤外スペクトルの両偏光の光を実質的に透過する、車両用投影アセンブリ。
【００４５】
項目２．ハウジングキャビティ内で、選択的反射型偏光素子よりも投影モジュールから遠くに配置され、選択的反射型偏光素子よりも出口開口から遠くに配置された光吸収素子を更に備え、選択的反射型偏光素子を透過した光が、光吸収素子に入射する、項目１に記載の車両用投影アセンブリ。
【００４６】
項目３．光吸収素子が、ハウジングの一部である、項目２に記載の車両用投影アセンブリ。
【００４７】
項目４．選択的反射型偏光素子が、多層光学フィルムを含む、項目１に記載の車両用投影アセンブリ。
【００４８】
項目５．多層光学フィルムが、紫外線吸収素子を含む、項目４に記載の車両用投影アセンブリ。
【００４９】
項目６．多層光学フィルムが、ヒンダードアミン光安定剤を含む、項目１に記載の車両用投影アセンブリ。
【００５０】
項目７．投影モジュールが、有機発光ダイオードディスプレイを含む、項目１に記載の車両用投影アセンブリ。
【００５１】
項目８．投影モジュールが、光源及び液晶ゲート素子を含む、項目１に記載の車両用投影アセンブリ。
【００５２】
項目９．液晶ゲート素子が、ＬＣＯＳである、項目８に記載の車両用投影アセンブリ。
【００５３】
項目１０．液晶ゲート素子が、液晶パネルである、項目８に記載の車両用投影アセンブリ。
【００５４】
項目１１．投影モジュールが、デジタルマイクロミラーデバイスを含む、項目１に記載の車両用投影アセンブリ。
【００５５】
項目１２．投影モジュールが、少なくとも１つの偏光ビームスプリッタを含む、項目１に記載の車両用投影アセンブリ。
【００５６】
項目１３．光源が、偏光光源である、項目８に記載の車両用投影アセンブリ。
【００５７】
項目１４．投影モジュールが、偏光投影モジュールであり、偏光投影モジュールによって生成された画像が、主に、選択的反射型偏光素子によって反射された１つの偏光状態の光である、項目８に記載の車両用投影アセンブリ。
【００５８】
項目１５．出口開口を通過する光路が、少なくとも２つの直交する構成素子を含む、項目１に記載の車両用投影アセンブリ。
【００５９】
項目１６．リフレクタを更に備え、リフレクタは、出口開口を通過する光路がリフレクタからの反射を含むように配置されている、項目１に記載の車両用投影アセンブリ。
【００６０】
項目１７．リフレクタが、非平面リフレクタである、項目１６に記載の車両用投影アセンブリ。
【００６１】
項目１８．リフレクタが、拡大リフレクタである、項目１７に記載の車両用投影アセンブリ。
【００６２】
項目１９．リフレクタが、光学的に平滑である、項目１６に記載の車両用投影アセンブリ。
【００６３】
項目２０．選択的反射型偏光素子が、光学的に平滑である、項目１に記載の車両用投影アセンブリ。
【００６４】
項目２１．選択的反射型偏光素子が、リターダを含む、項目１に記載の車両用投影アセンブリ。
【００６５】
項目２２．選択的反射型偏光素子が、可視スペクトルの少なくとも一部のための１／４波長リターダを含む、項目２１に記載の車両用投影アセンブリ。
【００６６】
項目２３．選択的反射型偏光素子が、可視スペクトル全体のための１／４波長リターダを含む、項目２１に記載の車両用投影アセンブリ。
【００６７】
項目２４．選択的反射型偏光素子が、可視スペクトルの少なくとも一部のための１／８波長リターダを含む、項目２１に記載の車両用投影アセンブリ。
【００６８】
項目２５．選択的反射型偏光素子が、可視スペクトル全体のための１／８波長リターダを含む、項目２１に記載の車両用投影アセンブリ。
【００６９】
項目２６．選択的反射型偏光素子が、可視スペクトルの少なくとも一部のための１／２波長リターダを含む、項目２１に記載の車両用投影アセンブリ。
【００７０】
項目２７．選択的反射型偏光素子が、可視スペクトル全体のための１／２波長リターダを含む、項目２１に記載の車両用投影アセンブリ。
【００７１】
項目２８．出口開口が、カバーレンズを含み、カバーレンズが、フレネル反射以外に反射を有さない、項目１に記載の車両用投影アセンブリ。
【００７２】
項目２９．カバーレンズが、ポリカーボネートレンズを含む、項目１に記載の車両用投影アセンブリ。
【００７３】
項目３０．出口開口を通過する光路に沿って配置された紫外線吸収素子を更に備える、項目１に記載の車両用投影アセンブリ。
【００７４】
項目３１．選択的反射型偏光素子が、ワイヤグリッド反射型偏光子を含む、項目１に記載の車両用投影アセンブリ。
【００７５】
項目３２．選択的反射型偏光素子が、コレステリック反射型偏光子を含む、項目１に記載の車両用投影アセンブリ。
【００７６】
項目３３．選択的反射型偏光素子が、コールドミラーを含む、項目１に記載の車両用投影アセンブリ。
【００７７】
項目３４．選択的反射型偏光素子が、多層反射型偏光子及び多層コールドミラーを含む、項目１に記載の車両用投影アセンブリ。
【００７８】
項目３５．多層反射型偏光子及び多層コールドミラーが、接着剤を用いて積層されている、項目３４に記載の車両用投影アセンブリ。
【図１】
2020511688.tif 000005
【図２】
2020511688.tif 000006
【図３】
2020511688.tif 000007
【図４】
2020511688.tif 000008
【図５】
2020511688.tif 000009
【図６】
2020511688.tif 000010
【図７】
2020511688.tif 000011
【図８】
2020511688.tif 000012
【国際調査報告】
2020511688.tif 000013
2020511688.tif 000014